(57)【要約】 【課題】地中に埋設された既設構造物を空頭制限下で撤去するに当たり、高い安全性の下で効率的に既設構造物を撤去することのできる既設構造物の撤去方法を提供すること。【解決手段】地中Ｇに埋設されている既設構造物（杭Ｐ）に引張部材Ｂを取り付け、掘削機Ｍ２で杭Ｐの周囲にケーシングＣを設置し、地上の架台Ｔで引張部材Ｂを支持させる第１のステップ、杭Ｐを掘削機Ｍ２の内側を通過させるようにして地上に引き上げ、杭Ｐの途中位置に孔Ｈ２を穿孔して支持部材Ｋを挿入し、これを固定して杭Ｐの固定姿勢を確保し、杭Ｐの一部を切断撤去する第２のステップ、杭Ｐの新たな天端面に引張部材Ｂ’を取り付けて架台Ｔで支持し、掘削機Ｍ２にて杭Ｐを地上に引き上げてその途中位置に別途の孔Ｈ２を穿孔し、孔Ｈ２に支持部材Ｋを挿入して固定することで杭Ｐの固定姿勢を確保し、杭Ｐの一部を切断撤去する第３のステップ、第３のステップを繰り返す方法である。【選択図】図９
2014218861.tif 000002
【特許請求の範囲】
【請求項１】
地中に埋設されている既設構造物に引張部材を取り付けるとともに、掘削機を利用して既設構造物とその周囲の地盤の間にケーシングを設置して既設構造物と地盤の縁切りをおこない、地上に架台を設置し、架台で引張部材を支持させる第１のステップ、
引張部材を上方に引き上げることで既設構造物を掘削機の内側を通過させるようにしてその一部を地上に引き上げ、地上に引き上げられた既設構造物の途中位置に孔を穿孔し、この孔に支持部材を挿入し、支持部材を固定して既設構造物の固定姿勢を確保し、既設構造物における支持部材の取り付け箇所よりも上方部分を切断して撤去する第２のステップ、
既設構造物の一部切断によって生じた既設構造物の新たな天端面に引張部材を取り付け、引張部材を架台で支持し、掘削機を利用して既設構造物を地上に引き上げ、地上に引き上げられた既設構造物の途中位置に別途の孔を穿孔し、この別途の孔に支持部材を挿入し、支持部材を固定して既設構造物の固定姿勢を確保し、既設構造物における支持部材の取り付け箇所よりも上方部分を切断して撤去する第３のステップ、
第３のステップを繰り返して既設構造物の撤去をおこなう既設構造物の撤去方法。
【請求項２】
第２のステップでは、引張部材を架台に固定したセンターホールジャッキに取り付け、このセンターホールジャッキにて引張部材の引き上げをおこなう請求項１に記載の既設構造物の撤去方法。
【請求項３】
第３のステップでは、掘削機でその内側にある既設構造物に取り付けた支持部材を支持した状態で、掘削機をジャッキアップして既設構造物の引き上げをおこなう請求項１または２に記載の既設構造物の撤去方法。
【請求項４】
掘削機をジャッキアップして既設構造物の引き上げをおこなった後、ケーシングの天端と支持部材の間にできた空間にスペーサを介在させて既設構造物を仮に支持させ、この状態で既設構造物を引張部材を介して架台に支持させた後、スペーサを取り外して既設構造物の途中位置に別途の孔を穿孔する請求項３に記載の既設構造物の撤去方法。
【請求項５】
ケーシングの肉厚内にケーシングの下端から地上に流体連通する配管を設けておき、既設構造物の引抜きの際に、地上からケーシングの下端へ圧力流体を提供し、提供された圧力流体によって既設構造物の下面に上向きの押上げ力を付与する請求項１〜４のいずれかに記載の既設構造物の撤去方法。
【発明の詳細な説明】
【技術分野】
【０００１】
本発明は、地中に埋設されている杭等の既設構造物を撤去する方法に関するものである。
【背景技術】
【０００２】
地中に埋設されている既設の杭等をはじめとする既設構造物を地上に引き上げて撤去するに当たり、その上方に地上構造物が存在する等して空頭制限がある場合に、既設構造物を一体で引き上げることが実質的に不可能なケースも多い。
【０００３】
ところで、地中の既設構造物の撤去方法としては、既設構造物の周辺をケーシングで掘削しながらケーシングを建て込み、ケーシング内部の既設構造物をチゼルやブレーカー等で破砕するとともに鉄筋などはガス切断等で細かく溶断して分割し、これらをハンマーグラブ等で搬出する方法などがある。ここで、使用するケーシングよりも既設構造物が大きな場合は、上記手順を複数回に分けて実施することになる。このような撤去方法を空頭制限下でおこなう場合、たとえばハンマーグラブの使用に際してその寸法に制約が生じることから、深礎工法を適用したり、大掛かりな装置を別途製作して撤去作業をおこなっているのが現状であり、深礎工法を適用する場合も装置を別途製作する場合もともに撤去工事費用が嵩む要因となる。
【０００４】
ここで、既設構造物の撤去に関する従来技術として、特許文献１，２を挙げることができる。
【０００５】
特許文献１には、オールケーシング工法を適用して、大口径で杭長の長い場所打ち杭や鋼管杭を回収して撤去する技術が開示されている。
【０００６】
また、特許文献２には、既設杭の一部を撤去する方法と撤去された部分の引き上げ装置が開示されている。より具体的には、既設杭を撤去すべき部位の下端位置で横断方向に既設杭を切断し、既設杭を引抜部と残置部に分割し、引抜部のみを上方に引き上げて撤去するものである。
【０００７】
特許文献１で開示の技術を空頭制限下で適用する場合、杭の引き上げに際して、スペーサを介してチャッキング装置によって杭本体を直接把持することになるため、場所打ち杭では圧壊等によってその表面が剥落し、摩擦力の低下によって滑落する恐れがある。
【０００８】
一方、特許文献２で開示される技術は、一見すると空頭制限下での既設構造物の撤去作業に好適であると解される。ところで、この文献には、引抜部の引き上げに際して既設杭を鉛直方向に切断した塊に反力を取りながら撤去する旨の記載がある。しかしながら、反力を取ることのできる塊が存在しない場合の対処方法は不明であり、この点で不十分な技術と言わざるを得ない。さらに、撤去対象に応じて撤去用装置を製作する必要もあり、撤去作業が高価になってしまう懸念がある。
【先行技術文献】
【特許文献】
【０００９】
【特許文献１】特開平１０−２５２０６５号公報
【特許文献２】特開２００４−１１６０２０号公報
【発明の概要】
【発明が解決しようとする課題】
【００１０】
本発明は上記する問題に鑑みてなされたものであり、地中に埋設された既設構造物を空頭制限下で撤去するに当たり、大掛かりで特別な装置を用意する必要もなく、高い安全性の下で効率的に既設構造物を撤去することのできる既設構造物の撤去方法を提供することを目的としている。
【課題を解決するための手段】
【００１１】
前記目的を達成すべく、本発明による既設構造物の撤去方法は、地中に埋設されている既設構造物に引張部材を取り付けるとともに、掘削機を利用して既設構造物とその周囲の地盤の間にケーシングを設置して既設構造物と地盤の縁切りをおこない、地上に架台を設置し、架台で引張部材を支持させる第１のステップ、引張部材を上方に引き上げることで既設構造物を掘削機の内側を通過させるようにしてその一部を地上に引き上げ、地上に引き上げられた既設構造物の途中位置に孔を穿孔し、この孔に支持部材を挿入し、支持部材を固定して既設構造物の固定姿勢を確保し、既設構造物における支持部材の取り付け箇所よりも上方部分を切断して撤去する第２のステップ、既設構造物の一部切断によって生じた既設構造物の新たな天端面に引張部材を取り付け、引張部材を架台で支持し、掘削機を利用して既設構造物を地上に引き上げ、地上に引き上げられた既設構造物の途中位置に別途の孔を穿孔し、この別途の孔に支持部材を挿入し、支持部材を固定して既設構造物の固定姿勢を確保し、既設構造物における支持部材の取り付け箇所よりも上方部分を切断して撤去する第３のステップ、第３のステップを繰り返して既設構造物の撤去をおこなうものである。
【００１２】
本発明の撤去方法は、既設構造物に引張部材を取り付けてこれを引張りながら地上へ引き上げ、既設構造物の一部を切断して撤去するに当たり、既設構造物の途中位置に孔を設けて支持部材を挿入し、この支持部材を地上の適所で固定した状態で既設構造物の切断を実施することにより、地上にその一部が引き上げられた既設構造物が滑落等することなく、安定した姿勢でその一部の切断を実行できることに一つの特徴がある。
【００１３】
ここで、「既設構造物」とは、地中に埋設されている場所打ち杭のほか、鋼管杭やPHC杭などの既製杭など、杭全般が包含されることに加えて、地中に埋設されているコンクリート製や鋼製のケーソンや基礎なども包含される。
【００１４】
既設構造物の引き上げに際しては、この既設構造物と周辺地盤との縁切りをおこなうべく、オールケーシング掘削機等の掘削機を利用して比較的長さの短いケーシングを順次地中に継ぎ足しながら圧入等していく。長さの短いケーシングを継ぎ足していくのは、空頭制限に対応するためである。
【００１５】
また、最初に既設構造物の一部を地上に引き上げるに当たり、地上には、既設構造物の引き上げの際の反力を取るための架台を構築する。
【００１６】
この架台は、既設構造物の直上に鋼材を組み付けて構成することができ、容易かつ安価に製作することが可能である。
【００１７】
既設構造物を引っ張るために、まず、既設構造物の天端面にボーリング削孔機等を利用して既設構造物の所定深度まで孔を穿孔し、この孔に鉄筋やPC鋼材等からなる引張部材を挿入し、グラウト等を充填して既設構造物への引張部材の取り付けをおこなう。
【００１８】
そして、取り付けられた引張部材の上端を架台に設置されたセンターホールジャッキ等に取り付けることで、既設構造物の最初の引き上げの準備が完了する（以上、第１のステップ）。
【００１９】
次に、センターホールジャッキ等を稼働させ、ケーシングを地中に圧入した掘削機の内側を既設構造物が通過するようにして既設構造物の地上への引き上げをおこなう。ここで、「掘削機の内側を既設構造物が通過するようにして」の理由は、以後の既設構造物の引き上げを、ケーシングを圧入等した掘削機を利用しておこなうためである。
【００２０】
既設構造物の上端が掘削機の上方までくるように引き上げたら、この段階で既設構造物の途中位置に孔を穿孔して鋼棒、角型鋼などの支持部材（いわゆる「かんざし」）を孔に挿入し、この支持部材をケーシングの上端に支持させる。
【００２１】
支持部材がケーシングに支持された安定姿勢において、既設構造物の支持部材取り付け箇所（孔の位置）よりも上方を切断レベルとし、この切断レベルでワイヤーソーなどを利用して既設構造物の一部切断を図る。
【００２２】
切断された構造物は、空頭制限下での揚重作業に好適なテレスコピック式クレーンなどで吊り上げ撤去するのがよい（以上、第２のステップ）。
【００２３】
第２のステップが終了した段階では、既設構造物の天端面が切断面となっており、切断前の段階では既設構造物の天端面から上方に突出していた引張部材も切断されている。そこで、天端面を斫って埋め込まれている引張部材の頭を露出させ、この露出箇所にカプラー等を取り付け、別途の引張部材をカプラーに取り付けることで、既設構造物の切断面（新たな天端面）からこの別途の引張部材を突出させることができる。そして、この別途の引張部材の端部を架台に固定して次の切断の準備をおこなう。
【００２４】
この段階では、既設構造物の一部が掘削機の内部に存在することから、今度は、この掘削機のジャッキの伸長を利用して以後の既設構造物の引き上げ作業が可能となる。
【００２５】
掘削機のジャッキの伸長をおこなって既設構造物を引き上げ、この引き上げによって、支持部材と掘削機の間に空間が設けられることになるが、この空間には、鋼製もしくはコンクリート製のスペーサ（ブロック材、コマ材）を挿入することで支持部材の仮支持を図ることができる。
【００２６】
スペーサで既設構造物を仮支持した状態で掘削機のジャッキを最大に伸長させ、既設構造物に固定された引張部材を架台に支持させ、架台への支持が完了した後に掘削機のジャッキを縮め、掘削機と支持部材の間にできた空間にあらためてスペーサを継ぎ足し、再度ジャッキを伸長させて既設構造物をさらに引き上げる。そして、切断予定位置まで既設構造物を引き上げたらスペーサを取り外し、第２のステップと同様に既設構造物の途中位置に別途の孔を穿孔し、この別途の孔に別途の支持部材を挿入し、この別途の支持部材をケーシングの上端に固定する。
【００２７】
そして、既設構造物における別途の支持部材の取り付け箇所よりも上方部分を切断し、これを撤去する（以上、第３のステップ）。
【００２８】
この第３のステップを順次繰り返すことで全ての既設構造物の撤去が完了する。
【００２９】
地中から既設構造物が完全に撤去されたら、撤去後に地中に形成された空洞には埋戻しをおこなうのがよい。
【００３０】
ここで、ケーシングの肉厚内にケーシングの下端から地上に流体連通する配管を設けておき、既設構造物の引抜きの際に、地上からケーシングの下端へ圧力流体を提供するようにしてもよい。提供された圧力流体によって既設構造物の下面には上向きの押上げ力が付与され、この押上げ力によって既設構造物の引き上げ性が向上する。
【発明の効果】
【００３１】
以上の説明から理解できるように、本発明の既設構造物の撤去方法によれば、空頭制限のある現場においても、既設構造物の撤去に際して大掛かりで特別な装置を用意する必要なく、既設構造物を順次引き上げて安定的に支持しながら撤去をおこなうことができ、安全かつ効率的に既設構造物の撤去をおこなうことが可能となる。
【図面の簡単な説明】
【００３２】
【図１】本発明の既設構造物の撤去方法の実施の形態を説明したフロー図である。
【図２】図１に続いて撤去方法の実施の形態を説明したフロー図である。
【図３】図２に続いて撤去方法の実施の形態を説明したフロー図である。
【図４】図３に続いて撤去方法の実施の形態を説明したフロー図である。
【図５】図４に続いて撤去方法の実施の形態を説明したフロー図である。
【図６】図５に続いて撤去方法の実施の形態を説明したフロー図である。
【図７】図６に続いて撤去方法の実施の形態を説明したフロー図である。
【図８】図７に続いて撤去方法の実施の形態を説明したフロー図である。
【図９】（ａ）は図８に続いて撤去方法の実施の形態を説明したフロー図であり、（ｂ）は支持部材用孔に配設された支持部材を上から見た図である。
【図１０】図９に続いて撤去方法の実施の形態を説明したフロー図である。
【図１１】図１０に続いて撤去方法の実施の形態を説明したフロー図である。
【図１２】図１１に続いて撤去方法の実施の形態を説明したフロー図である。
【図１３】図１２に続いて撤去方法の実施の形態を説明したフロー図である。
【図１４】図１３に続いて撤去方法の実施の形態を説明したフロー図である。
【図１５】図１４に続いて撤去方法の実施の形態を説明したフロー図である。
【発明を実施するための形態】
【００３３】
以下、図面を参照して、本発明の既設構造物の撤去方法の実施の形態を説明する。
【００３４】
（既設構造物の撤去方法の実施の形態）
図１〜１５はその順で、本発明の既設構造物の撤去方法の実施の形態を説明したフロー図である。
【００３５】
図示例は、図１で示すように、地中Ｇ内にある、既設構造物である杭Ｐを空頭制限下にて撤去する方法を説明するものである。なお、各図には、杭Ｐの上方の地上空間に空頭制限の根拠となる地上構造物の図示が省略されているが、杭Ｐの上方の地上空間には、ビルや鉄道路線、鉄道駅舎等の地上構造物が存在しており、撤去作業を狭隘な空間内で実施せざるを得ない状況であるとする。
【００３６】
図１で示すように、地中Ｇに埋設されている杭Ｐの撤去に際し、まず、地盤を掘削して杭Ｐの天端を露出させ、この天端にボーリング削孔機Ｍ１を固定し、この削孔機Ｍ１にて杭Ｐの所定深度まで引張部材用孔Ｈ１を穿孔する。
【００３７】
所定本数で所定深度の引張部材用孔Ｈ１が穿孔されたら、次に、図２で示すように、ここに鉄筋やPC鋼材等の引張部材Ｂを配設し、引張部材用孔Ｈ１にグラウト等の充填材Ｆを充填して硬化させることにより、杭Ｐの天端面から所定本数の引張部材Ｂを突出させる。なお、杭Ｐにおける引張部材Ｂの埋設長さは、引張部材Ｂを引っ張って杭Ｐを地上に引き上げるに際して、引張部材Ｂと杭Ｐとの周面摩擦力によって引張部材Ｂが杭Ｐから引き抜かれることなく、杭Ｐを所望に引き上げることのできる長さに設定されている。
【００３８】
杭Ｐに引張部材Ｂを設置したら、杭の天端を埋戻す。次に、図３で示すように、杭Ｐの地上の周囲に不図示のガイド用鉄板を配設し、オールケーシング掘削機Ｍ２を自身が装備する覆帯で自走させながらガイド用鉄板の上に据え付ける。
【００３９】
ここでは、杭Ｐの引抜きに先行して、まず、杭Ｐとその周辺地盤Ｇとの縁切りをおこない、杭Ｐの引抜きを容易とするべく、オールケーシング掘削機Ｍ２を使用してケーシングＣの地盤内圧入を実行する。
【００４０】
具体的には、図４で示すように、空頭制限下での揚重作業に好適なテレスコピック式クレーンＭ３にてケーシングＣを吊り上げ、掘削機Ｍ２の内側に配設する。ここで、ケーシングＣの圧入方法としては、空頭制限を考慮して長さが比較的短く設定されているケーシングＣを順次地中に圧入し、継ぎ足していく方法が適用される。なお、ケーシングＣの圧入に際しては、ケーシングＣに不図示の送水用ヘッドを取り付け、内部に送水しながら回転圧入を実施するのがよい。
【００４１】
図５で示すように、各ケーシングＣを圧入して順次継ぎ足していくことにより、所定長さのケーシングが杭Ｐとその周辺地盤Ｇの間に構築され、この継ぎ足されたケーシングＣによって杭Ｐと周辺地盤Ｇとの縁切りがおこなわれる。なお、ケーシングＣの圧入完了時点では、清水循環をおこないながらケーシングＣを十分に回転させ、回転抵抗を低下させる。
【００４２】
次に、図６で示すように、掘削機Ｍ２を包囲するように鋼材を組立て、仮設の架台Ｔを構築する。
【００４３】
そして、架台Ｔを構成する最上部の水平部材に引張部材Ｂと同数のセンターホールジャッキＪを固定し、それぞれのセンターホールジャッキＪに対応する引張部材Ｂの端部を固定する。
【００４４】
以上が本発明の既設構造物の撤去方法の第１のステップであり、この第１のステップにて既設構造物である杭Ｐの引抜き準備が完了する。
【００４５】
次に、図７で示すように、各センターホールジャッキＪを同期して稼働させ、杭Ｐを掘削機Ｍ２の内部を通過するようにして地上に所定長さまで引き上げる。
【００４６】
たとえば図７で示すように杭Ｐを架台Ｔの最上部にある水平部材近傍まで引き上げたら、次に、図８で示すように、杭Ｐのうち、その天端面と掘削機Ｍ２の間の任意位置を切断ラインＬに設定し、この切断ラインＬよりも下方位置に所定数の支持部材用孔Ｈ２を穿孔する。なお、この切断レベルＬは、切断されて撤去される切断体の大きさと周囲の障害物との関係や、切断体を吊り上げるクレーンの体格との関係等からその設定がおこなわれる。
【００４７】
たとえば図示例のように２つの支持部材用孔Ｈ２を穿孔したら、図９ａで示すように各支持部材用孔Ｈ２に鋼棒や角型鋼などからなる支持部材Ｋ（「かんざし」とも称される）を挿入し、図９ｂで示すように支持部材Ｋの端部を杭Ｐから突出させた状態とする。
【００４８】
同図で示すように支持部材用孔Ｈ２に支持部材Ｋが挿入固定されたら、この支持部材Ｋの端部をケーシングＣの天端に支持させることにより、杭Ｐの切断前における固定姿勢を確保する。
【００４９】
このように、支持部材Ｋを杭Ｐに配設して杭Ｐの固定姿勢を確保した後に、ワイヤーソー等の切断具にて切断レベルＬで杭Ｐの切断をおこなう。
【００５０】
切断された切断体Ｐ’は、図１０で示すようにテレスコピック式クレーンＭ３にて吊り上げ、切り回してヤードへ仮置きしたり、搬送トラックへ直接搬入して場外へ搬出する。
【００５１】
以上が本発明の既設構造物の撤去方法の第２のステップであり、この第２のステップにて既設構造物である杭Ｐの最初の一部撤去が完了する。
【００５２】
第２のステップにおいて、杭Ｐの最初の切断撤去がなされたことで、杭Ｐの切断面では引張部材Ｂも切断され、切断面から突出している引張部材が存在しない。
【００５３】
そこで、杭Ｐの内部に埋設されている引張部材と別途の引張部材を繋いで杭Ｐの上方からの吊り上げを可能とするべく、杭Ｐの天端面をブレーカー等で斫って埋設されている引張部材Ｂの頭部を露出させ、露出した頭部にカプラーを装備し、図１１で示すようにカプラーに別途の引張部材Ｂ’を取り付け、別途の引張部材Ｂ’の端部を架台Ｔの最上部の水平部材にナットを介して固定する。
【００５４】
なお、この段階では、掘削機Ｍ２のステージ上に設置された台座Ｔ１上に支持部材Ｋを支持させる。
【００５５】
この状態で掘削機Ｍ２の内部を貫通している杭Ｐは掘削機Ｍ２にて把持されており、したがって、掘削機Ｍ２の具備するジャッキを伸長させることによって杭Ｐを上方に引き抜くことができる。すなわち、以後の杭Ｐの引抜きは、ケーシングＣを圧入する際に適用した掘削機Ｍ２を利用しておこなわれる。
【００５６】
掘削機Ｍ２のジャッキを所定長さまで伸長すると、このジャッキの伸長によって架台Ｔの水平部材にてナット固定されている別途の引張部材Ｂ’は緩む。そこで、この引張部材Ｂ’を緊張させてナットの締め直しをおこなうことで、ジャッキ伸長にともなって引き上げられた杭Ｐを架台Ｔに支持させる。
【００５７】
次に、図１２で示すように、掘削機Ｍ２のジャッキアップにともない、支持部材Ｋを直接支持する台座Ｔ１と掘削機Ｍ２の間に形成された空間に複数段のスペーサＳを介在させ、支持部材Ｋを台座Ｔ１とスペーサＳを介して掘削機Ｍ２に仮に支持させる。より具体的には、スペーサＳで杭Ｐを仮支持した状態で掘削機Ｍ２のジャッキを最大に伸長させ、杭Ｐに固定された別途の引張部材Ｂ’を架台Ｔに支持させ、架台Ｔへの支持が完了した後に掘削機Ｍ２のジャッキを縮め、掘削機Ｍ２と支持部材Ｋの間にできた空間にあらためてスペーサＳを継ぎ足し、再度ジャッキを伸長させて杭Ｐをさらに引き上げる。
【００５８】
この過程で別途の引張部材Ｂ’のナットの締め直しを適宜おこない、図１３で示すように、切断予定位置まで杭Ｐを引き上げたら、架台Ｔに杭Ｐを支持させた状態で台座Ｔ１やスペーサＳを取り除き、設定されている切断ラインＬの下方位置に別途の支持部材用孔Ｈ２を穿孔する。
【００５９】
図示例のように２つの支持部材用孔Ｈ２を穿孔したら、図１４で示すように各支持部材用孔Ｈ２に支持部材Ｋを挿入し、図９ｂと同様に支持部材Ｋの端部を杭Ｐから突出させた状態とする。
【００６０】
同図で示すように支持部材用孔Ｈ２に支持部材Ｋが挿入固定されたら、この支持部材Ｋの端部をケーシングＣの天端に支持させることにより、杭Ｐの切断前における安定姿勢を確保する。
【００６１】
このように、支持部材Ｋを杭Ｐに配設して杭Ｐの固定姿勢を確保した後に、ワイヤーソー等の切断具にて切断レベルＬで杭Ｐの切断をおこなう。
【００６２】
切断された切断体Ｐ’は、テレスコピック式クレーンＭ３にて吊り上げ、ヤードへの仮置きもしくは搬送トラックへの搬入がなされて場外へ搬出される。  
【００６３】
以上が本発明の既設構造物の撤去方法の第３のステップであり、この第３のステップにて既設構造物である杭Ｐの２回目の切断撤去が完了する。
【００６４】
本発明の既設構造物の撤去方法では、以後、この第３のステップを順次繰り返すことで杭Ｐを地中Ｇから完全に撤去することができる。
【００６５】
地中Ｇから杭Ｐが完全に撤去されたら、図１５で示すように、杭Ｐの引抜き跡に形成された空洞に流動化処理土Ｕを打設して埋戻しをおこなう。
【００６６】
以上、図示する本発明の既設構造物の撤去方法によれば、既設構造物を順次地上に引き上げ、その一部を切断等して撤去するに当たり、地上に引き上げられた既設構造物に支持部材を固定し、この支持部材を固定させることで既設構造物の固定姿勢を確保した状態でその一部の切断撤去をおこなうことから、撤去施工の際の安全性を保証しながら、効率的な撤去作業を実現することができる。
【００６７】
また、オールケーシング掘削機の使用、簡易な架台の設置、テレスコピック式クレーンによる吊り上げや切り回し、などによって既設構造物の撤去を実現できることから、この撤去施工に際して特殊な装置や機構を製作する必要はなく、安価な工費で空頭制限のある現場における既設構造物の撤去が可能となる。
【００６８】
なお、図示を省略するが、既設構造物の引き上げに際し、ケーシングの肉厚内にケーシングの下端から地上に流体連通する配管を設けておき、既設構造物の引抜きの際に、地上からケーシングの下端へ圧力流体を提供するようにしてもよい。提供された圧力流体によって既設構造物の下面に上向きの押上げ力を付与することができ、この押上げ力によって既設構造物の引き上げ性を向上させることができる。
【００６９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７０】
Ｍ１…ボーリング削孔機、Ｍ２…掘削機（オールケーシング掘削機）、Ｍ３…クレーン車（テレスコピック式クレーン）、Ｃ…ケーシング、Ｐ…既設構造物（杭）、Ｐ’…切断体、Ｈ１…引張部材用孔、Ｆ…充填材、Ｂ…引張部材、Ｂ’…別途の引張部材、Ｇ…地中（地盤）、Ｔ…架台、Ｊ…センターホールジャッキ、Ｌ…切断レベル、Ｈ２…支持部材用孔、Ｋ…支持部材（かんざし）、Ｕ…流動化処理土
【図１】
2014218861.tif 000003
【図２】
2014218861.tif 000004
【図３】
2014218861.tif 000005
【図４】
2014218861.tif 000006
【図５】
2014218861.tif 000007
【図６】
2014218861.tif 000008
【図７】
2014218861.tif 000009
【図８】
2014218861.tif 000010
【図９】
2014218861.tif 000011
【図１０】
2014218861.tif 000012
【図１１】
2014218861.tif 000013
【図１２】
2014218861.tif 000014
【図１３】
2014218861.tif 000015
【図１４】
2014218861.tif 000016
【図１５】
2014218861.tif 000017